(57)【要約】【課題】目隠し性能、透光性能及び通風性能を備え、且つ、重厚な外観を現出させ、全体強度の向上や目隠し板個々の強風への耐性をも備えて商品価値を高めたフェンスを提供する。【解決手段】上下にそれぞれ凹溝４を形成せる縦断面Ｈ字型の横枠材２を支柱１間の上下に間隔をあけて架設する。横枠材２の間に位置して半透明の目隠し板３を支柱１間に架設する。目隠し板３の上下端縁部を横枠材２の上下の凹溝４内にそれぞれ挿入する。横枠材２の凹溝４内面と目隠し板３の上下端縁部との間に通風用の隙間Ｓを設ける。【選択図】        図１
2004204499.tif 000002
【特許請求の範囲】
【請求項１】
上下にそれぞれ凹溝を形成せる縦断面Ｈ字型の横枠材を支柱間の上下に間隔をあけて架設し、この横枠材の間に位置して半透明の目隠し板を支柱間に架設し、目隠し板の上下端縁部を横枠材の上下の凹溝内にそれぞれ挿入すると共に、横枠材の凹溝内面と目隠し板の上下端縁部との間に通風用の隙間を設けたことを特徴とするフェンス。
【請求項２】
横方向に間隔をあけて横枠材の凹溝内に目隠し板を支持する支持材を複数配設し、これら支持材に目隠し板の下端縁を固定したことを特徴とする請求項１記載のフェンス。
【請求項３】
上下にそれぞれ凹溝を形成せる縦断面Ｈ字型の横枠材を支柱間の上下に間隔をあけて架設し、この横枠材の間に位置して半透明の目隠し板を支柱間に架設し、目隠し板の上下端縁部を横枠材の上下の凹溝内にそれぞれ挿入すると共に、横枠材の上下中央の水平片に目隠し板の上下端縁を当接させ、目隠し板の上下端縁に横方向に間隔をあけて目隠し板の上下中央方向に凹設した通風用の切欠凹所を形成したことを特徴とするフェンス。
【請求項４】
横枠材の上方の凹溝内に発光体を配設したことを特徴とする請求項１または３記載のフェンス。
【発明の詳細な説明】
【０００１】
【発明の属する技術分野】
本発明は、フェンスに関する発明である。
【０００２】
【従来の技術】
従来からフェンスは、空間を仕切るもので、隣家や隣接道路との境界、ベランダなどの屋外の住居空間で使用されている。このような屋外の住居空間で使用されるフェンスには、むやみに外部から住居内が見られないよう、目隠し性能を備えるものが多い。また、フェンスは空間を仕切る遮蔽物であるが、上記目隠し性能に加えて、一定の通風性能を備えるような要望も多い。更に、近年では、フェンスを半透明な材質のもので構成し、フェンスを光が透過できるように透光性能を持たせたものも多い。つまり、フェンスにて完全に外から住居内を目隠ししてしまうと、フェンスが遮蔽物としての性格が強まってフェンスの外観が威圧的になる、光がフェンスで遮断されてフェンス内に外からの光が取り込まれない等の不具合が生じてしまうのであって、この不具合を解消するために、適度に目隠し性能を抑えつつ、代わりに透光性能を向上させることが行われているのである。
【０００３】
この目隠し機能、通風性能及び透光性能を備えたフェンスには、たとえば図５に示すものがある。これは、基礎や地面に支柱１を複数本打ち込んで立設し、上下に複数の羽根状の目隠し板３を並べて支柱１に取付けてなるフェンスであり、各目隠し板３の上端部を各上方の目隠し板３の下端部と間に隙間ｓを設けて内外方向に重なるように位置させることで、フェンスに直接内外に開口させて目隠し性能を低下させるような隙間を設けずに、フェンスに一定の通風性能を備えさせ（図中矢印Ａは風を示す）、また、目隠し板３を半透明材で構成することで、フェンスに一定の目隠し性能及び透光性能を備えさせているのである（図中矢印Ｂは光を示す）（たとえば、特許文献１参照）。
【０００４】
【特許文献１】
実開平７−２３１０７号公報
【０００５】
【発明が解決しようとする課題】
しかしながら、図５のようなフェンスが現出する全体外観は、目隠し板３を単に上下に並べて構成した単調で扁平なものであり、形状的に何ら特異なものではなく且つ安っぽい外観を現出してしまうことから、外観面で商品価値の向上を図ることはできない。また、このフェンスはその全体構造が薄板の目隠し板３で構成されているので、フェンス全体の強度もとりたてて強いことはなく、強度面でも商品価値の向上を図ることはできない。更に言うと、このフェンスは、支柱１に固定されるだけの複数枚の目隠し板３から成るので、これら目隠し板３が強風にあおられるとフェンス全体でたわむこととなり、目隠し板３が破損してしまう恐れを有している。また、近年では、フェンスの下方に発光体を配設し、たとえば目隠し板を下方から照らすことで暗闇にフェンスを浮かび上がらせると共に目隠し板に光を反射させて間接照明にてフェンス近傍を照らすなどの外観演出効果を施すことも行われている。しかしながら、上記図５のフェンスでは、発光体自身の目隠し処理を伴なった発光体の配設が行えず、つまりフェンスに発光体を設けたとしても発光体は外に露出されてしまい、外観演出効果を施す以前にフェンスの外観低下を引き起こしてしまうものであった。
【０００６】
本発明は上記の点に鑑みてなされたものであり、重厚な外観を現出させて商品価値を高め、全体強度の向上や目隠し板個々の強風への耐性をも備えたフェンスを提供することを課題とするものである。
【０００７】
【課題を解決するための手段】
上記課題を解決するために本発明に係るフェンスは、上下にそれぞれ凹溝４を形成せる縦断面Ｈ字型の横枠材２を支柱１間の上下に間隔をあけて架設し、この横枠材２の間に位置して半透明の目隠し板３を支柱１間に架設し、目隠し板３の上下端縁部を横枠材２の上下の凹溝４内にそれぞれ挿入すると共に、横枠材２の凹溝４内面と目隠し板３の上下端縁部との間に通風用の隙間Ｓを設けたことを特徴とする。
【０００８】
これによると、半透明の目隠し板３によって一定の透光性能をフェンスに備えさせることができると共に、横枠材２の凹溝４内面と目隠し板３の上下端縁部との間に設けた通風用の隙間Ｓによってフェンスに通風性能を備えさせることができ、また、縦断面Ｈ字型の横枠材２を支柱１間に架設するので、フェンスの全体強度を向上させることができ、更に、この横枠材２は目隠し板３と交互に配置されると共に目隠し板３の上下端縁部を横枠材２の凹溝４に挿入させたので、フェンスの外から内を直接覗くことはできずに目隠し性能をフェンスに確保できると共に、薄板である目隠し板３の上下端が厚みのある横枠材２の凹溝４内に飲み込まれるといった厚みを感じさせる重厚な外観を現出させることができ、更には、強風によってあおられた目隠し板３のたわみ変形に対して横枠材２の凹溝４により一定の抑制作用を働かせることができる。
【０００９】
また、横方向に間隔をあけて横枠材２の凹溝４内に目隠し板３を支持する支持材８を複数配設し、これら支持材８に目隠し板３の下端縁を固定したことも好ましい。これによると、強風に目隠し板３があおられても、支持材８を介して剛体である横枠材２に固定された目隠し板３はたわみ変形が抑制され、目隠し板３の破損が防止される。つまり目隠し板３の強風に対する耐性を向上させることができる。
【００１０】
また、本発明に係るフェンスは、上下にそれぞれ凹溝４を形成せる縦断面Ｈ字型の横枠材２を支柱１間の上下に間隔をあけて架設し、この横枠材２の間に位置して半透明の目隠し板３を支柱１間に架設し、目隠し板３の上下端縁部を横枠材２の上下の凹溝４内にそれぞれ挿入すると共に、横枠材２の上下中央の水平片２ｂに目隠し板３の上下端縁を当接させ、目隠し板３の上下端縁に横方向に間隔をあけて目隠し板３の上下中央方向に凹設した通風用の切欠凹所１１を形成したことを特徴とする。
【００１１】
これによると、半透明の目隠し板３によって一定の透光性能をフェンスに備えさせることができ、また、縦断面Ｈ字型の剛体である横枠材２を支柱１間に架設するので、フェンスの全体強度を向上させることができ、また、この横枠材２は目隠し板３と交互に配置されると共に目隠し板３の上下端縁部を横枠材２の凹溝４に挿入させたので、フェンスの外から内を直接覗くことはできずに目隠し性能をフェンスに確保できると共に、薄板である目隠し板３の上下端が厚みのある横枠材２の凹溝４内に飲み込まれるといった厚みを感じさせる重厚な外観を現出させることができ、また、横枠材２の上下中央の水平片２ｂに目隠し板３の上下端縁を当接させたので、剛体の横枠材２によって目隠し板３のたわみ変形を抑制できて、目隠し板３のたわみによる破損を防止でき、また、目隠し板３の上下端縁に横方向に間隔をあけて目隠し板３の上下中央方向に凹設した通風用の切欠凹所１１によって、目隠し板３を横枠材２の水平片２ｂに当接させてもフェンスに通風性能を備えさせることができる。
【００１２】
また、横枠材２の上方の凹溝４内に発光体１０を配設したことも好ましい。これによると、発光体１０を外方に露出させずにフェンスに納まり良く配設でき、つまり発光体１０を設けたことでの外観の低下を回避すると共に、発光体１０による外観演出効果をフェンスに施すことができる。
【００１３】
【発明の実施の形態】
本発明は、支柱に複数の目隠し板を架設して構成されるフェンスにおいて、目隠し性能、透光性能及び通風性能を備えると共に、フェンスの内外方向に厚みを感じさせる重厚な外観を現出させると同時に、フェンスの全体強度や、目隠し板の強風に対する耐性をも向上させることのできる構造を提供するにある。以下、本発明を添付図面に示す実施形態に基づいて説明する。
【００１４】
図１乃至図３に本発明の実施の形態の例を示す。このフェンスは、地面や基礎１２に打ち込んで支柱１を複数立設し、この支柱１の間に、縦断面Ｈ字型の横枠材２、半透明の目隠し板３を上下方向に交互に並べて架設して構成されている。
【００１５】
目隠し板３は、一定の目隠し性能と透光性能とを備える横方向に長尺の半透明板である。本例では、乳色の半透明アクリル板が用いられている。また、横枠材２は、並設した一対の垂直片２ａの上下中央部を水平片２ｂで連結してなる縦断面Ｈ字状の長尺の金属材である。本例では、アルミ押出し成形品が用いられている。両垂直片２ａの内面及び水平片２ｂの上面によって上方に開口した凹溝４（便宜上、上凹溝４ａという）が構成されており、両垂直片２ａの内面及び水平片２ｂの下面によって下方に開口した凹溝４（便宜上、下凹溝４ｂという）が構成されている。また、各垂直片２ａの上下端部には外方に折り曲げて形成したフランジ縁２ａ１が突設されている。つまり、両フランジ縁２ａ１と垂直片２ａの外面とで外側に開口する凹所が形成されている。この凹所にはフェンス外観のアクセントとなる表面化粧材５が嵌着される。本例では表面化粧材５としては木粉入りの樹脂製板材が用いられている。なお、この表面化粧材５は種々取り替え可能であり、フェンス設置場所の雰囲気に合わせてフェンスの外観向上を可能にしてある。また、本例の支柱１には矩形柱状のものが用いられており、複数の支柱１は一直線上に配置されている。そして、この支柱１の対向面には、横枠材２の長手方向端部が嵌め込まれる縦断面Ｈ字状の横枠材嵌込孔６と、目隠し板３の長手方向端部が嵌め込まれるスリット状の目隠し板嵌込孔７とが、上下方向に交互に穿孔されている。つまり、横枠材２及び目隠し板３は、それぞれその長手方向端部を、横枠材嵌込孔６及び目隠し板嵌込孔７に嵌め込ませることで支柱１間に架設されている。
【００１６】
ここで、上下方向に交互に配設される横枠材２と目隠し板３とは、目隠し板３の上下端縁部が横枠材２の上下の凹溝４内にそれぞれ挿入された位置関係を有している。つまり、正面（外方）からフェンスを見た際には、図２に示すように、目隠し板３と横枠材２とは隙間無く配置された状態になっており、フェンスの内方を直接見ることはできないようにされている。また、横枠材２の凹溝４の溝幅は目隠し板３の厚みよりも大きく形成され、横枠材２の凹溝４内に挿入した目隠し板３の上下端部は横枠材２の水平片２ｂには当接されないようになっており、つまり目隠し板３の上下端縁部と横枠材２の凹溝４内面との間には通風用の隙間Ｓが形成されている。
【００１７】
このように、本例のフェンスは、目隠し板３の他に、剛体の横枠材２を支柱１間に架設して構成されているので、フェンス全体の強度向上が図られているのである。また、支柱１に架設した横枠材２と目隠し板３とは内外に重なる位置関係を有しているので、一定の目隠し性能及び透光性能の確保がなされている（矢印Ｂ）。また、上記目隠し板３の上下端縁部と横枠材２の凹溝４内面との間には通風用の隙間Ｓが形成されているので、通風性能も確保されている（矢印Ａ）。このように、視線は遮りながらも、光、風を通すことのできる本例のフェンスは、たとえばバスコート（浴室前デッキ部分）などでの目隠しとしても利用できる。また、本例のフェンスの外観にあっては、図２に示すように、透光可能な目隠し板３、光を遮断する横枠材２が上下方向に交互に並設されたことで、光の縞模様を現出させることができ、また、目隠し板３の上下端縁部が横枠材２の凹溝４内に挿入されることで、薄板である目隠し板３の上下端が厚みのある横枠材２の凹溝４内に飲み込まれるといった厚みを感じさせる重厚な外観を現出させることができ、フェンスに高い商品価値を備えさせることが図られているのである。
【００１８】
また、目隠し板３は、その下端縁部で横枠材２に支持材８を介して連結されている。ここで、支持材８とは、金属製の剛体である横枠材２に目隠し板３を固定させることで、目隠し板３のたわみ変形の規制を行い、たわみ変形による目隠し板３の破損を防止できるようにしたものである。この支持材８は、本例では横枠材２の１対の垂直片２ａにおける上端部位に架設される桟材８ａによって構成されている。そして、この支持材８は、極力目隠し板３と横枠材２との隙間を塞がないように、横枠材２の横方向に間隔をあけて配置されている。詳しくは、一対の垂直片２ａの中央部分に対応する桟材８ａの中央部分に下方に凹没した嵌込凹所９が形成してあり、この嵌込凹所９に目隠し板３の下端縁部が嵌め込まれ、目隠し板３は桟材８ａを介して横枠材２に固定されている。このように、本例のフェンスでは、目隠し板３が金属製の剛体である横枠材２に固定されていることで、目隠し板３のたわみ変形の規制が行われ、たとえ強風に目隠し板３があおられても目隠し板３はたわみ変形を殆ど生じないようにでき、目隠し板３の破損が防止されているのである。
【００１９】
なお、目隠し板３の下端縁部を支持材８を介して横枠材２に連結させないまでも、目隠し板３は、その上下端縁部が金属製の剛体である横枠材２の凹溝４内に挿入されていることで、強風に目隠し板３があおられて目隠し板３がたわみ変形をしたとしても、目隠し板３のたわみ変形は横枠材２の凹溝４の幅寸法以上は行わないようにされることとなる。つまり目隠し板３に、凹溝４の幅寸法未満のたわみ変形で生じる内部応力によっては破断点に達し得ないものを用いれば、強風にあおられることで引き起されるたわみ変形による目隠し板３の破損は回避することができるのである。
【００２０】
また、複数の横枠材２のうち、適宜の横枠材２の上凹溝４ａの溝底部分には発光体１０が配設されている。本例では、この発光体１０は棒状の蛍光灯１０ａで構成され、目隠し板３の真下部分に沿って配置されている。つまりこの発光体１０によると、目隠し板３を下方から照らし、暗闇にフェンスを浮かび上がらせると共に、目隠し板３に光を反射させて間接照明にてフェンス近傍を照らすといった外観演出効果を施すができるものである。このように横枠材２の凹溝４内に発光体１０を配設したことで、発光体１０は外方に露出されずに納まり良くフェンスに備えることができ、つまり発光体１０を配設したことでの外観の低下を回避し、上記外観演出効果のみをフェンスに施すことができるのであり、フェンスの付加価値が高められているのである。
【００２１】
また、上記発光体１０は、図３に示すように、目隠し板３の下端面に沿って装着させたエッジライト１０ｂで構成してもよい。このエッジライト１０ｂは、目隠し板３の下端縁部よりも下方に位置するので、横枠材２の上凹溝４ａ内に確実に挿入されて外方に露出されずに納まり良くフェンスに備えることができるのである。なお、このエッジライト１０ｂによると、エッジライト１０ｂの発光が直接目隠し板３の内部に入り、目隠し板３自身を仄かな発光体にするといった外観演出効果を施すことができるものである。これによっても、エッジライト１０ｂを外側に露出させず、つまりフェンスの外観低下は引き起こさずに上記外観演出効果をフェンスに施してフェンスの付加価値を高めることができるのである。
【００２２】
また、図４には本発明の実施の形態の他例を示す。なお、本例は、先の実施の形態の例と主に目隠し板３の形状が異なるものであり、先の実施の形態の例と同様部位には、同符合を付して説明を省き、異なる部分につき説明をしていく。
【００２３】
本例の目隠し板３は、その上下端縁部に、目隠し板３の長手方向である横方向に間隔をあけて、通風用の切欠凹所１１が目隠し板３の上下中央方向に凹設されている。なお、この切欠凹所１１にあっては、目隠し板３の端縁からの切り込み深さＣは横枠材２の水平片２ｂからの垂直片２ａの立ち上がり寸法Ｄよりも短くなるように設定されている。そして、この目隠し板３は、その上下端縁部を横枠材２の上下の凹溝４内にそれぞれ挿入すると共に、この目隠し板３の上下端縁を横枠材２の水平片２ｂに当接されている。
【００２４】
しかして、本例のフェンスは、目隠し板３の上下端縁が横枠材２の水平片２ｂに当接されても切欠凹所１１を介してフェンスの内外に通じる通風通路を確保され、通風性能が備えられているのである（矢印Ａ）。また、目隠し板３の上下端縁が横枠材２の水平片２ｂに当接されたことで、剛体の横枠材２によって目隠し板３のたわみ変形を抑制できて、目隠し板３のたわみによる破損を防止できるといった利点も備えている。また、切欠凹所１１の切り込み深さＣが横枠材２の水平片２ｂからの垂直片２ａの立ち上がり寸法Ｄよりも短く設定されていることから、切欠凹所１１は横枠材２の凹溝４内に位置し、フェンス正面からは横枠材２の垂直片２ａの陰に隠れて見えないのであり、切欠凹所１１のフェンス外観への影響はないものである。
【００２５】
このように本例のフェンスにあっても、並設した横枠材２と目隠し板３とは重なり合って配置されることで目隠し性能を備えており、また、半透明の横枠材２による透光性能（矢印Ｂ）、切欠凹所１１による通風性能を備えている。更に、目隠し板３のたわみによる破損が防止されたことから、目隠し板３の強風に対する耐性も向上しているものである。無論、先の実施の形態の例同様、縦断面Ｈ字型の横枠材２を支柱１間に架設した基本構成は踏襲されているので、フェンスの全体強度の向上も図られており、また、透光可能な目隠し板３、光を遮断する横枠材２が上下方向に交互に並設されているから、フェンス外観に光の縞模様が現出され、また、目隠し板３の上下端縁部が横枠材２の凹溝４内に挿入されているから、薄板である目隠し板３の上下端が厚みのある横枠材２の凹溝４内に飲み込まれるといった厚みを感じさせる重厚な外観が現出されるのである。このように本例のフェンスも高い商品価値が備えられているのである。
【００２６】
なお、本例のフェンスにあっても、適宜の横枠材２の凹溝４内に発光体１０を配設し、外観演出効果を備えた更に付加価値の高いフェンスにしている。本例では、横枠材２の凹溝４の溝底部分における、目隠し板３の下端縁部の前面側に隣接した位置に蛍光灯１０ａからなる発光体１０を配設した例を示している。ここで、発光体１０には、その高さ寸法が切欠凹所１１の切り込み寸法よりも小さく設定されたものを用いている。つまり、凹溝４内に配設した発光体１０が切欠凹所１１を塞いでしまうことを回避し、通風性能の低下を回避しているのである。無論、発光体１０に上記のエッジライト１０ｂを用いても好ましく、これによってもエッジライト１０ｂ特有の外観演出効果を施すことができるのである。
【００２７】
【発明の効果】
上記のように本発明の請求項１記載の発明にあっては、叙述したように、上下にそれぞれ凹溝を形成せる縦断面Ｈ字型の横枠材を支柱間の上下に間隔をあけて架設したので、フェンスの全体強度を向上させることができ、また、横枠材の間に位置して半透明の目隠し板を支柱間に架設したので、半透明の目隠し板にて一定の透光性能をフェンスに備えさせることができると共にフェンス外観に光の縞模様を現出させることができ、また、目隠し板の上下端縁部を横枠材の上下の凹溝内にそれぞれ挿入したので、フェンスの外から内を直接覗くことはできずに目隠し性能をフェンスに確保できると共に、薄板である目隠し板の上下端が厚みのある横枠材の凹溝内に飲み込まれるといった厚みを感じさせる重厚な外観を現出させることができ、更には、強風によってあおられた目隠し板のたわみ変形に対して横枠材の凹溝により一定の抑制作用を働かせることができ、また、横枠材の凹溝内面と目隠し板の上下端縁部との間に通風用の隙間を設けたので、通風性能をフェンスに備えさせることができるのであり、このようにフェンスには目隠し性能、透光性能、通風性能が備えられると共に、フェンスの全体強度の向上、目隠し板の破損防止を図ることができ、更に、フェンスの外観には、光の縞模様、厚みのある重厚な外観が現出させることができるのであって、商品価値の高いフェンスにすることができるのである。
【００２８】
また、請求項２記載の発明にあっては、請求項１の効果に加え、横方向に間隔をあけて横枠材の凹溝内に目隠し板を支持する支持材を複数配設し、これら支持材に目隠し板の下端縁を固定したので、強風によって目隠し板があおられても、支持材を介して剛体である横枠材に固定された目隠し板はたわみ変形が抑制され、目隠し板の破損を防止することができる。つまり目隠し板の強風に対する耐性を向上させることができるのである。
【００２９】
また、請求項３記載の発明にあっては、上下にそれぞれ凹溝を形成せる縦断面Ｈ字型の横枠材を支柱間の上下に間隔をあけて架設したので、フェンスの全体強度を向上させることができ、また、横枠材の間に位置して半透明の目隠し板を支柱間に架設したので、半透明の目隠し板にて一定の透光性能をフェンスに備えさせることができると共にフェンス外観に光の縞模様を現出させることができ、また、目隠し板の上下端縁部を横枠材の上下の凹溝内にそれぞれ挿入すると共に、横枠材の上下中央の水平片に目隠し板の上下端縁を当接させたので、フェンスの外から内を直接覗くことはできずに目隠し性能をフェンスに確保できると共に、薄板である目隠し板の上下端が厚みのある横枠材の凹溝内に飲み込まれるといった厚みを感じさせる重厚な外観を現出させることができ、更には、強風によってあおられた目隠し板のたわみ変形を剛体の横枠材によって抑制できて、目隠し板のたわみ変形による破損を防止でき、つまり目隠し板の強風に対する耐性を向上させることができ、また、目隠し板の上下端縁に横方向に間隔をあけて目隠し板の上下中央方向に凹設した通風用の切欠凹所を形成したので、フェンスに通風性能を備えさせることができるのであり、このようにフェンスには目隠し性能、透光性能、通風性能が備えられると共に、フェンスの全体強度の向上、目隠し板の破損防止を図ることができ、更に、フェンスの外観には、光の縞模様、厚みのある重厚な外観が現出させることができるのであって、商品価値の高いフェンスにすることができるのである。
【００３０】
また、請求項４記載の発明にあっては、請求項１または３の効果に加え、横枠材の上方の凹溝内に発光体を配設したので、発光体を外方に露出させずにフェンスに納まり良く配設でき、つまり発光体を設けたことでの外観の低下を回避すると共に、発光体による外観演出効果をフェンスに施すことができ、フェンスの商品価値を高めることができる。
【図面の簡単な説明】
【図１】本発明の実施の形態の例のフェンスの要部の斜視図である。
【図２】同上のフェンスの正面図である。
【図３】同上の発光体を替えた例の縦断面図である。
【図４】本発明の実施の形態の他例の要部斜視図である。
【図５】従来技術のフェンスの斜視図である。
【符号の説明】
１  支柱
２  横枠材
３  目隠し板
４  凹溝
５  表面化粧材
６  横枠材嵌込孔
７  目隠し板嵌込孔
８  支持材
９  嵌込凹所
１０  発光体
１１  切欠凹所
【図１】
2004204499.tif 000003
【図２】
2004204499.tif 000004
【図３】
2004204499.tif 000005
【図４】
2004204499.tif 000006
【図５】
2004204499.tif 000007